(57)【特許請求の範囲】
【請求項１】
基台と、
前記基台に保持され、押下されることで信号を発生する複数のスイッチを有する配線基板と、
筒状の回転軸部の内周部に径方向内側に突出する突出部が設けられ、回転操作、及び前記複数のスイッチに対応する複数の方向の揺動操作が可能な操作ダイアルと、
前記操作ダイアルの前記回転軸部を回転可能に、かつ前記複数の方向に揺動可能に保持する内側環状部と、
前記内側環状部の外周側に配置され、前記操作ダイアルを前記複数の方向のいずれかの方向に揺動操作した際に、弾性変形して前記複数のスイッチのうちの対応するスイッチをそれぞれ押下する複数の押圧部が設けられた外側環状部と、
前記操作ダイアルの中央部に前記基台に対して回転が規制された状態で設けられ、外観側に配置される揺動部と前記基台に固定される固定部とが弾性変形可能に形成された抜け止め部材と、を備え、
前記抜け止め部材の前記固定部には、前記外側環状部の前記複数の押圧部の径方向内側で前記複数の押圧部と略同位相の位置に、前記突出部の前記外観側の面に当接する複数の係止部が設けられていることを特徴とする回転揺動式入力装置。
【請求項２】
前記抜け止め部材の前記揺動部の外観面には、前記操作ダイアルの複数の方向の揺動操作におけるそれぞれの機能が表示されていることを特徴とする請求項１に記載の回転揺動式入力装置。
【請求項３】
前記固定部には、前記基台にカシメられるピン形状の複数のカシメ部が設けられ、
前記係止部は、前記複数のカシメ部の近傍にそれぞれ配置されていることを特徴とする請求項１又は２に記載の回転揺動式入力装置。
【請求項４】
前記複数の押圧部、及び前記複数の係止部は、それぞれ前記操作ダイアルの回転する方向に略等間隔で配置された４か所の押圧部、及び４か所の係止部により構成され、
前記抜け止め部材の前記揺動部と前記固定部とは、弾性変形可能な２か所の連結部により連結され、
前記４か所の係止部のうち、径方向に互いに対向する２か所の係止部には、それぞれ前記連結部が一体に設けられていることを特徴とする請求項１乃至３のいずれか一項に記載の回転揺動式入力装置。
【請求項５】
請求項１乃至４のいずれか一項に記載の回転揺動式入力装置を備えることを特徴とする電子機器。
【発明の詳細な説明】
【技術分野】
【０００１】
本発明は、例えばデジタルカメラ等の撮像装置を含む電子機器に設けられる回転揺動式入力装置、及び回転揺動式入力装置を備える電子機器に関する。
【背景技術】
【０００２】
デジタルカメラ等の電子機器として、複数方向の揺動操作と回転操作の複合操作が可能な操作ダイアルを有する回転揺動式入力装置を備えるものがある。回転揺動式入力装置の回転検出手段としては、電極配線上を操作ダイアルと共に回転する回転電極の接触部を摺動させることにより回転時にパルス信号を発生させ、更に、回転電極自体を操作ダイアルの抜け止めとして機能させるものが知られている（特許文献１）。
【先行技術文献】
【特許文献】
【０００３】
【特許文献１】特許第５５３０５４９号
【発明の概要】
【発明が解決しようとする課題】
【０００４】
しかし、上記特許文献１では、回転電極の形状が均等ではない為、操作ダイアルの揺動操作時に、抜け止めとしての回転電極にかかる力に対する回転電極の強度が操作ダイアルの回転位相によって異なる。このため、操作ダイアルの揺動操作時の感触にバラツキが生じ、操作性に劣るという問題がある。
【０００５】
そこで、本発明は、回転揺動式入力装置の操作ダイアルを揺動操作した際の操作性を向上させることができる技術を提供することを目的とする。
【課題を解決するための手段】
【０００６】
上記目的を達成するために、本発明の回転揺動式入力装置は、基台と、前記基台に保持され、押下されることで信号を発生する複数のスイッチを有する配線基板と、筒状の回転軸部の内周部に径方向内側に突出する突出部が設けられ、回転操作、及び前記複数のスイッチに対応する複数の方向の揺動操作が可能な操作ダイアルと、前記操作ダイアルの前記回転軸部を回転可能に、かつ前記複数の方向に揺動可能に保持する内側環状部と、前記内側環状部の外周側に配置され、前記操作ダイアルを前記複数の方向のいずれかの方向に揺動操作した際に、弾性変形して前記複数のスイッチのうちの対応するスイッチをそれぞれ押下する複数の押圧部が設けられた外側環状部と、前記操作ダイアルの中央部に前記基台に対して回転が規制された状態で設けられ、外観側に配置される揺動部と前記基台に固定される固定部とが弾性変形可能に形成された抜け止め部材と、を備え、前記抜け止め部材の前記固定部には、前記外側環状部の前記複数の押圧部の径方向内側で前記複数の押圧部と略同位相の位置に、前記突出部の前記外観側の面に当接する複数の係止部が設けられていることを特徴とする。
【発明の効果】
【０００７】
本発明によれば、回転揺動式入力装置の操作ダイアルを揺動操作した際の操作性を向上させることができる。
【図面の簡単な説明】
【０００８】
【図１】本発明の回転揺動式入力装置を備える電子機器の実施形態の一例であるデジタルカメラを背面側から見た斜視図である。
【図２】回転揺動式入力装置を操作ダイアル側から見た拡大図である。
【図３】回転揺動式入力装置の分解斜視図である。
【図４】（ａ）は図２のＡ−Ａ線断面図、（ｂ）は（ａ）のＢ部拡大図、（ｃ）は（ａ）のＣ部拡大図である。
【図５】（ａ）は表示板の正面図、（ｂ）は（ａ）の左側面図、（ｃ）は（ａ）の右側面図、（ｄ）は（ａ）の上面図、（ｅ）は（ａ）の下面図、（ｆ）は（ａ）の背面図である。
【図６】（ａ）は操作ダイアルの揺動操作を説明する回転揺動式入力装置の断面図、（ｂ）は（ａ）のＤ部拡大図である。
【発明を実施するための形態】
【０００９】
以下、図面を参照して、本発明の実施形態の一例を説明する。
【００１０】
図１は、本発明の回転揺動式入力装置を備える電子機器の実施形態の一例であるデジタルカメラを背面側から見た斜視図である。
【００１１】
図１に示すように、本実施形態のデジタルカメラ１は、正面側に、レンズ鏡筒２が設けられ、背面側には、レンズ鏡筒２の撮影光学系を通過して不図示の撮像素子に結像した被写体像を表示するＬＣＤ等の表示ユニット３が設けられている。デジタルカメラ１を背面側から見て、表示ユニット３の右側には、回転揺動式入力装置４を構成する操作ダイアル５が設けられている。
【００１２】
回転揺動式入力装置４は、例えば、マニュアルフォーカスやホワイトバランス等の連続的な入力操作が求められる機能に操作ダイアル５の回転操作が割り当てられる。また、複数方向の揺動操作と回転操作の複合操作として、フラッシュ発光のオン／オフ／オートのようにトグル操作により設定可能な機能に操作ダイアル５の揺動動作による押しボタン操作が割り当てられている。
【００１３】
図２は、回転揺動式入力装置４を操作ダイアル５側から見た拡大図である。図３は、回転揺動式入力装置４の分解斜視図である。図４（ａ）は図２のＡ−Ａ線断面図、図４（ｂ）は図４（ａ）のＢ部拡大図、図４（ｃ）は図４（ａ）のＣ部拡大図である。
【００１４】
図２乃至図４に示すように、操作ダイアル５は、ホルダ１０に対して回転操作可能に保持されている。また、操作ダイアル５は、複合操作として、図２の上下左右方向に押し操作された場合に、ホルダ１０に対して揺動可能に保持されている。操作ダイアル５の中央部には、表示板６が設けられている。
【００１５】
表示板６の外観面には、図２の上下左右の複数の方向の揺動操作のそれぞれの機能を表すアイコンが印刷されている。表示板６は、ピン形状のカシメ部６ｅ（図５参照）が基台８に形成された不図示の孔に位置決めされると共に基台８の裏面に突出したピン形状部がカシメられて基台８に固定され、回転が規制されている。表示板６の中央部には、センターキー７が設けられている。
【００１６】
操作ダイアル５を図２の上下左右の各揺動方向へ押し操作した場合、表示板６は、操作ダイアル５に追従して揺動する。また、センターキー７は、各種設定の確定キーとして機能し、操作ダイアル５の回転時も揺動時も連動せず、軸方向の押し操作のみ可能になっている。操作ダイアル５は、フレキシブル配線基板９とともに両面テープ等を介して基台８に固定されている。
【００１７】
フレキシブル配線基板９には、図３に示すように、操作ダイアル５の回転を検出するための透過型光センサとして一対のフォトインタラプタ１２が実装されている。フレキシブル配線基板９のフォトインタラプタ１２の実装面側には、複数のメタルドームスイッチ１３が一体に保持され、また、フレキシブル配線基板９のフォトインタラプタ１２の実装面と反対側が両面テープ等を介して基台８に固定されている。
【００１８】
ホルダ１０は、操作ダイアル５を回転可能に、かつ複数方向に揺動可能に保持する内側環状部１０ａと、内側環状部１０ａの外周側に配置され、周方向に略等間隔で配置された複数の接続部１０ｅを介して内側環状部１０ａに接続される外側環状部１０ｂとを有する。内側環状部１０ａ、接続部１０ｅ及び外側環状部１０ｂは、いずれも弾性変形可能な樹脂材料等により形成されている。
【００１９】
外側環状部１０ｂの操作ダイアル５側の面には、操作ダイアル５が回転する際に摺動する摺動部１０ｄが周方向に略等間隔で４箇所設けられている。４か所の摺動部１０ｄは、図３の上下左右の４か所のメタルドームスイッチ１３に対応して設けられている。そして、摺動部１０ｄの裏側には、操作ダイアル５を上下左右のいずれかの方向に揺動操作した際に、対応するメタルドームスイッチ１３を押下する押圧部１０ｃ（図４参照）が設けられている。
【００２０】
内側環状部１０ａ及び外側環状部１０ｂには、それぞれカシメ部１０ｆが設けられている。カシメ部１０ｆは、基台８に形成された孔に位置決めされるとともに、基台８の裏面から突出したピン形状部がカシメられて基台８に固定される。ホルダ１０の内側環状部１０ａには、クリックバネ１１が保持されている。クリックバネ１１は、操作ダイアル５の裏面側に周方向に沿って複数形成された不図示の凸部に係合することにより、操作ダイアル５の回転操作時にクリック感を発生させ、停止時は操作ダイアル５を安定した位置に停止させる。
【００２１】
また、図４（ａ）に示すように、ホルダ１０の内側環状部１０ａに保持される操作ダイアル５の内側環状部１０ａに対する回転軸方向の嵌合寸法は回転軸の全長より少ない寸法に設定されている。これにより、ホルダ１０の内側環状部１０ａに対して操作ダイアル５が回転可能に、かつ揺動可能に保持されている。また、図４（ｃ）に示すように、ホルダ１０の外側環状部１０ｂの図４（ａ）の右側は、比較的薄肉で形成されて弾性変形可能になっている。
【００２２】
一方、図４（ｂ）に示すように、ホルダ１０の外側環状部１０ｂの図４（ａ）の左側には、操作ダイアル５が摺動する摺動部１０ｄ、及びメタルドームスイッチ１３を押下する押圧部１０ｃが設けられて比較的厚肉に形成されている。
【００２３】
また、図４（ｃ）に示すように、操作ダイアル５には、金属材料等により形成された遮光羽根１４が接着等により固定され、遮光羽根１４は、操作ダイアル５とともに回転可能、及び揺動可能になっている。遮光羽根１４には、複数の遮光部１４ａが周方向に略等間隔で設けられている。
【００２４】
そして、操作ダイアル５を回転操作することにより、遮光部１４ａ、及び周方向に互いに隣り合う遮光部１４ａ間の間隙がフォトインタラプタ１２の投光部と受光部との間を通過して、フォトインタラプタ１２の投光部からの光が遮光と透過を繰り返す。
【００２５】
このときのフォトインタラプタ１２からの出力信号に基づき、操作ダイアル５の回転量を検出することができる。また、フレキシブル配線基板９に実装された一対のフォトインタラプタ１２は、出力信号の波形が半位相ずれる角度で配置されており、これにより、操作ダイアル５の回転方向も検出することが可能となっている。
【００２６】
なお、遮光部１４ａの数は、クリックバネ１１が係合する、操作ダイアル５の裏面側の複数の不図示の凸部の数に対応している。これにより、操作ダイアル５の停止時のフォトインタラプタ１２の出力が常に一定となるようになっている。また、フォトインタラプタ１２と遮光羽根１４の遮光部１４ａとは、操作ダイアル５の揺動操作に接触しないようなクリアランス設定となっている。
【００２７】
次に、図５を参照して、表示板６について説明する。図５（ａ）は表示板６の正面図、図５（ｂ）は図５（ａ）の左側面図、図５（ｃ）は図５（ａ）の右側面図、図５（ｄ）は図５（ａ）の上面図、図５（ｅ）は図５（ａ）の下面図、図５（ｆ）は図５（ａ）の背面図である。表示板６は、本発明の抜け止め部材の一例に相当する。
【００２８】
図５に示すように、表示板６は、外観側に配置されるフランジ状の揺動部６ｃと、基台８側に配置される固定部６ｂとを有し、揺動部６ｃと固定部６ｂとは、２か所の連結部６ｄによって連結されている。連結部６ｄは、弾性変形可能に形成され、これにより、揺動部６ｃは、表示板６が基台８に固定された状態において図５（ｃ）及び図５（ｄ）に示すように、複数の矢印方向（図２の上下左右方向）へ揺動可能となっている。
【００２９】
固定部６ｂには、４本のピン形状のカシメ部６ｅが設けられ、カシメ部６ｅは、前述したように、基台８に設けられた孔に位置決めされると共に基台８の裏面に突出したピン形状部がカシメられて基台８に固定されている。これにより、表示板６の回転が規制されている。
【００３０】
また、固定部６ｂには、係止部６ａがカシメ部６ｅの近傍で、かつ連結部６ｄの固定部６ｂ側の端部に位置して周方向に略等間隔で４か所設けられている。係止部６ａは、外側環状部１０ｂの４か所の押圧部１０ｃの径方向内側で４か所の押圧部１０ｃと略同位相の位置にそれぞれ配置されている。更に、４か所の係止部６ａは、固定部６ｂ側でそれぞれがカシメ部６ｅの近傍に配置されていることで、より強固なものとなっている。
【００３１】
そして、図４に示すように、操作ダイアル５の円筒状の回転軸部の下端内周部には、径方向内側に突出する突出部５ａが設けられ、突出部５ａの上側の面（外観側の面）には、表示板６の４か所の係止部６ａがそれぞれ当接している。これにより、操作ダイアル５の揺動操作時に表示板６の揺動部６ｃが追従して揺動可能になると共に固定部６ｂに設けられた係止部６ａが操作ダイアル５の抜け止め部として機能する。
【００３２】
４か所の係止部６ａは、表示板６の図２の上下左右にそれぞれ設けられており、摺動部１０ｄ、押圧部１０ｃ及びメタルドームスイッチ１３に対応する位置に配置されている。これにより、表示板６は、操作ダイアル５を揺動操作した際に、対応するメタルドームスイッチ１３の位置で操作ダイアル５とともに揺動動作が可能となっている。
【００３３】
また、図５（ｆ）に示すように、表示板６の固定部６ｂの中央部には、メタルドームスイッチ１３を押し操作するセンターキー７の押し軸７ａ（図３参照）が軸方向に移動可能に挿入される孔６ｇが形成されている。また、固定部６ｂの孔６ｇの周囲には、固定部６ｂにスナップフィット結合されるセンターキー７の爪部７ｂ（図３参照）が軸方向に移動可能に挿入される孔６ｆが形成されている。
【００３４】
図６（ａ）は操作ダイアル５の揺動操作を説明する回転揺動式入力装置４の断面図、図６（ｂ）は図６（ａ）のＤ部拡大図である。
【００３５】
図６に示すように、操作ダイアル５の例えば図６の右側を矢印Ｆ方向に押して操作ダイアル５を揺動操作した際、操作ダイアル５は、突出部５ａに当接する表示板６の図６の左側の係止部６ａを支点として揺動する。これにより、ホルダ１０の押圧部１０ｃがメタルドームスイッチ１３を押下する。
【００３６】
図６の左右は、図２の左右に対応しており、操作ダイアル５の図６の左側、図２の上側及び下側を押して操作ダイアル５を揺動操作したときは、それぞれ径方向に対向する係止部６ａを支点として操作ダイアル５が揺動する。
【００３７】
ここで、前述した左右側の係止部６ａは、互いに径方向に対向して対称配置され、上下側の係止部６ａについても、互いに径方向に対向して対称配置されている。このため、操作ダイアル５の揺動操作時に操作ダイアル５の押し位置から係止部６ａの支点までの距離Ｌは、操作ダイアルの上下左右のいずれの位置を押しても略一定となる。
【００３８】
これにより、操作ダイアル５の揺動操作時の操作ダイアル５の押し操作感を前述した上下左右の押し位置に関わりなく略均等にすることが可能となる。また、この操作ダイアル５の押し操作感は、操作ダイアル５の回転位相に関わらず変化することはなく、常に略均等となる。
【００３９】
以上説明したように、本実施形態では、回転揺動式入力装置４において、操作ダイアル５の揺動操作時の操作ダイアル５の押し操作感を押し位置に関わらず略均等にすることができるので、操作ダイアル５を揺動操作した際の操作性を向上させることができる。
【００４０】
なお、本発明の構成は、上記実施形態に例示したものに限定されるものではなく、材質、形状、寸法、形態、数、配置箇所等は、本発明の要旨を逸脱しない範囲において適宜変更可能である。
【００４１】
例えば、ホルダ１０の内側環状部１０ａと外側環状部１０ｂは、別体でも一体でもよく、また、遮光羽根１４は、操作ダイアル５に接着等で固定されていてもインサート成形等で操作ダイアル５と一体化されていてもよい。更には、操作ダイアル５に遮光羽根１４の遮光部１４ａが直接形成されていてもよい。
【符号の説明】
【００４２】
４  回転揺動式入力装置
５  操作ダイアル
５ａ  突出部
６  表示板
６ａ  係止部
６ｂ  固定部
６ｃ  揺動部
８  基台
９  フレキシブル配線基板
１０ａ  内側環状部
１０ｂ  外側環状部
１０ｃ  押圧部
１３  メタルドームスイッチ
【図１】
0006590641.tif 000002
【図２】
0006590641.tif 000003
【図３】
0006590641.tif 000004
【図４】
0006590641.tif 000005
【図５】
0006590641.tif 000006
【図６】
0006590641.tif 000007